(57)【要約】【課題】通電発熱体への体毛の導入効率を向上させた体毛処理装置を提供する。【解決手段】この課題を解決するために、体毛処理装置を、通電により発熱して体毛を焼き切る通電発熱体３７と、前記通電発熱体３７を保持する円筒状の回転シリンダ２１と、前記回転シリンダ２１を回転させる回転機構部２と、を備え、前記通電発熱体３７が前記回転シリンダ２１と共に回転し、前記回転シリンダ２１が櫛状のコーム２４を周面に設けた構成とした。【選択図】図１
2012070796.tif 000002
【特許請求の範囲】
【請求項１】
通電により発熱して体毛を焼き切る通電発熱体と、前記通電発熱体を保持する円筒状の回転シリンダと、前記回転シリンダを回転させる回転機構部と、を有し、前記通電発熱体が前記回転シリンダと共に回転し、前記回転シリンダが櫛状のコームを周面に備えたものであることを特徴とする体毛処理装置。
【請求項２】
前記通電発熱体が一つ以上の線状部材からなり、前記回転シリンダが前記円筒の軸芯の軸方向の両端に夫々通電部材を備え、前記通電発熱体が前記通電部材を介して前記回転シリンダに位置決めされるものであることを特徴とする請求項１に記載の体毛処理装置。
【請求項３】
前記通電発熱体が一つ以上の線状部材からなり、前記回転シリンダが前記円筒の軸芯の軸方向に沿って溝を備え、前記通電発熱体が前記溝に配置されると共に、前記溝の円筒周方向に沿った寸法の中央に前記通電発熱体が位置するものであることを特徴とする請求項１または請求項２に記載の体毛処理装置。
【請求項４】
前記前記回転シリンダが前記円筒の軸芯の軸方向の両端に夫々通電部材を備え、前記通電部材が円筒周方向に沿って板面を有した板状部材からなり、前記板状部材が前記円筒周方向に分割して構成されたものであることを特徴とする請求項１〜３のいずれかに記載の体毛処理装置。
【請求項５】
前記通電発熱体が回転シリンダの回転に伴い通電と非通電が切り換わるものであることを特徴とする請求項１〜４のいずれかに記載の体毛処理装置。
【請求項６】
前記通電発熱体が一つ以上の線状部材からなり、前記回転シリンダが、前記円筒の軸芯の軸方向の両端に夫々通電部材を備えると共に、前記回転シリンダが、前記通電発熱体の少なくとも一端に取り付けられて前記通電発熱体に張力を与える張力付与部を備え、前記通電部材が夫々前記通電発熱体の一端より前記線状部材上の他端側で前記通電発熱体と電気的に接続されるものであることを特徴とする請求項１〜５のいずれかに記載の体毛処理装置。
【発明の詳細な説明】
【技術分野】
【０００１】
本発明は、体毛処理装置、殊に通電発熱体を用いて体毛を処理する体毛処理装置に関するものである。
【背景技術】
【０００２】
従来から、体毛処理装置として、切断刃を用いて体毛を切断して体毛処理を行うものや、体毛を皮膚から引き抜き体毛処理を行うものや、通電発熱体で体毛を焼き切り体毛処理を行うもの（例えば、特許文献１等参照）等がある。切断するものでは処理した体毛の先端部が鋭い切断面として残るため、処理した皮膚の位置によっては衣服等と擦れて、不快感を与えることがあり、引き抜くものでは引き抜く際に痛みを伴うことがある。対して、焼き切るものは体毛の先端部が鋭くならずにすみ、皮膚に不快感を与え難いと共に、処理の際に痛みを伴い難いものとなっている。
【先行技術文献】
【特許文献】
【０００３】
【特許文献１】特開平１０−２３４４６０号公報
【発明の概要】
【発明が解決しようとする課題】
【０００４】
しかしながら、従来の焼き切るものでは、体毛を起す（起毛させる）ための櫛が本体ハウジングに固定されており、使い方の慣れない使用者には櫛で起毛させ辛く、通電発熱体に体毛が接触し難いものである。そのため、体毛を処理したい対象位置（皮膚）上に対して複数回の体毛処理動作が行われることとなり、体毛処理に時間（手間）がかかると共に、通電発熱体の熱や櫛の複数回の往復接触等で使用者が不快感を受ける恐れがある。
【０００５】
そこで、この事情を鑑み、従来のものより、通電発熱体への体毛の導入効率を向上させた体毛処理装置を提供することを課題とした。
【課題を解決するための手段】
【０００６】
上記課題を解決するために、本発明の体毛処理装置は、通電により発熱して体毛を焼き切る通電発熱体と、前記通電発熱体を保持する円筒状の回転シリンダと、前記通電発熱体と共に前記回転シリンダを軸回りに回転させる回転機構部と、を有し、前記回転シリンダが櫛状のコームを周面に備えたものであることを特徴とする。
【０００７】
この体毛処理装置として、前記通電発熱体が一つ以上の線状部材からなり、前記回転シリンダが前記円筒の軸芯の軸方向の両端に夫々通電部材を備え、前記通電発熱体が前記通電部材を介して前記回転シリンダに位置決めされるものであることが好ましい。
【０００８】
この体毛処理装置として、前記通電発熱体が一つ以上の線状部材からなり、前記回転シリンダが前記円筒の軸芯の軸方向に沿って溝を備え、前記通電発熱体が前記溝に配置されると共に、前記溝の円筒周方向に沿った寸法の中央に前記通電発熱体が位置するものであることが好ましい。
【０００９】
この体毛処理装置として、前記回転シリンダが前記円筒の軸芯の軸方向の両端に夫々通電部材を備え、前記通電部材が円筒周方向に沿って板面を有した板状部材からなり、前記板状部材が前記円筒周方向に分割して構成されたものであることが好ましい。
【００１０】
この体毛処理装置として、前記通電発熱体が回転シリンダの回転に伴い通電と非通電が切り換わるものであることが好ましい。
【００１１】
この体毛処理装置として、前記通電発熱体が一つ以上の線状部材からなり、前記回転シリンダが、前記円筒の軸芯の軸方向の両端に夫々通電部材を備えると共に、前記回転シリンダが、前記通電発熱体の少なくとも一端に取り付けられて前記通電発熱体に張力を与える張力付与部を備え、前記通電部材が夫々前記通電発熱体の一端より前記線状部材上の他端側で前記通電発熱体と電気的に接続されるものであることが好ましい。
【発明の効果】
【００１２】
このような構成としたことで、従来のものより、通電発熱体への体毛の導入効率を向上させることができる。
【図面の簡単な説明】
【００１３】
【図１】実施形態の一例の体毛処理装置の斜視図である。
【図２】同上の（ａ）平面図であり、（ｂ）Ａ−Ａ断面図である。
【図３】同上の一外側面側を分解した斜視図である。
【図４】図３の外側面に対向する外側面側を分解した斜視図である。
【図５】回転シリンダの斜視図である。
【図６】同上の（ａ）平面図であり、（ｂ）Ｂ−Ｂ断面図である。
【図７】同上の分解斜視図である。
【発明を実施するための形態】
【００１４】
以下、図面に基づいて本発明の実施形態を例示して説明する。
【００１５】
実施形態の一例の体毛処理装置は、図１−７に示すように、外側面５で囲まれた矩形状の本体１の一端に、体毛を処理する体毛処理部２０を設けたものである。
【００１６】
そして、体毛処理部２０は、回転自在に軸支された回転シリンダ２１と、回転シリンダ２１と共に回転する線状部材３８からなる通電発熱体３７と、回転シリンダ２１に体毛を導入させる体毛導入口と、を備えている。更に、本体１は、回転シリンダ２１を回転させる回転機構部２と、装置を制御する制御部９と、体毛処理部２０を冷却する冷却部１１と、各部に電力を供給する電源部６と、各部を電気的に接続する導電部材と、装置を操作する操作部８と、を備えている。そして、本体１の外側面５は使用者が把持可能な把持面となっている。
【００１７】
すなわち、本装置は本体１を把持して使用すると共に、皮膚等の体毛処理を行いたい部位に体毛導入口を当てて、本体１を該部位に沿って摺り動かすことで、体毛導入口に体毛を導入し、導入した体毛を通電発熱体３７で焼き切るものとなっている。なお、導電部材は、後述の通電具１０を除き説明や図示を省略するが、該導電部材は、例えば、導電性を有した板ばね等の導電板や、リード線等の導線、或いは導電性薄膜等の、電気信号や電力を伝達可能な導電性を有した部材で構成されたものである。
【００１８】
詳しくは、体毛処理部２０が、図５−７に示すように、回転機構部２により回転する円筒状の回転シリンダ２１と、通電時に発熱する通電発熱体３７と、回転シリンダ２１を回転自在で支持する軸部材４１と、これら各部材が配置された配置空間４２と、で構成されている。そして、配置空間４２は本体１内部に形成されると共に、配置空間４２を外部に連通させる開口部４３を有しており、該開口部４３から回転シリンダ２１の外周面の略半周が外部に露出している。すなわち、開口部４３が、回転シリンダ２１に体毛を導入するための体毛導入口となっている。更に、軸部材４１の両端が本体１に固定されており、軸部材４１の軸回りに回転シリンダ２１が回転するものとなっている。以下、軸部材４１の軸芯に沿った方向を軸方向とし、回転シリンダ２１の回転する向きを回転方向とし、回転方向の先端側を回転前方とし、反対側を回転後方とする。
【００１９】
回転シリンダ２１は、円筒状の基部２２と、通電発熱体３７と電気的に接続された通電部材４４と、通電発熱体３７に張力をかける張力付与部４０と、通電部材４４を基部２２に取り付ける取付部３２と、からなる。
【００２０】
基部２２は内周に略同芯で軸部材４１が挿し通されており、軸部材４１の周面を基部２２が軸回りに摺り動くことで、回転シリンダ２１が回転するものとなっている。そして、基部２２は円筒の外周面に、円筒の軸方向の寸法全体に亘って軸芯側に凹んだ二本の溝２３と、皮膚或いは体毛に接して起毛する櫛状のコーム２４と、を備えている。更に、二つの溝２３は円周を略二等分する位置に設けられており、基部２２の外周面は溝２３によって略二等分されている。
【００２１】
なお、基部２２は、例えば、皮膚に接触した際の肌当たり感及びコストでは樹脂製が好ましく、放熱性（冷却機能）では金属製が好ましい。そして、金属製のものでは、導電性の無い或いは低い金属材料を用いたり、絶縁部材で基部２２の表面を覆ったりする等で基部２２を通電部材４４や通電発熱体３７等から絶縁することが好ましい。
【００２２】
コーム２４は溝２３毎に夫々形成された櫛部２５からなり、各櫛部２５は、起毛すると共に皮膚を押える櫛歯２６と、皮膚を押える肌押え部２７と、を備えており、二つの櫛歯２６は櫛歯２６によって形成される凹陥部２８によって区画されている。
【００２３】
詳しくは、櫛歯２６が溝２３より回転前方の位置に設けられると共に、軸方向に沿って複数並んで配置されている。そして、各櫛歯２６は、溝２３近傍の部位が回転シリンダ２１のラジアル方向に最も突出すると共に、該部位から回転前方に凹陥部２８を有している。そのため、一方の櫛部２５の櫛歯２６は、回転前方に位置する他方の櫛部２５の肌押え部２７から一方の櫛部２５の凹陥部２８によって区画されている。
【００２４】
また、肌押え部２７は溝２３より回転後方に位置すると共に、軸方向に沿って複数並んで設けられており、回転シリンダ２１のラジアル方向の先端に位置する先端部位が、基部２２と略同芯の円弧状になっている。そして、該円弧状の先端部位には、冷却部１１が当接されており、回転シリンダ２１は櫛部２５を介して冷却部１１に冷却されている。
【００２５】
更に、櫛歯２６の溝２３近傍の部位の上記ラジアル方向の先端と、肌押え部２７の先端部位が、基部２２の軸芯を中心とした同一の仮想円の円周上に位置している。すなわち、櫛部２５の上記先端と肌押え部２７の先端部位が回転シリンダ２１から略同じ寸法でラジアル方向に突出している。そのため、櫛部２５は溝２３の前後で回転シリンダ２１に当接される皮膚を夫々櫛歯２６と肌押え部２７で押えており、櫛部２５は溝２３内への皮膚の落ち込み量を調整している。なお、櫛部２５の形状は、例示の構成に限らず、回転方向の前後に夫々櫛歯２６を備えたものや、前後に夫々肌押え部２７を備えたもの等であってもよい。
【００２６】
また、溝２３は基部２２の外周に開口面を有すると共に、軸方向の両端にも開口しており、溝２３は夫々通電発熱体３７の線状部材３８が一本ずつ配置されている。該線状部材３８は円周方向に沿った溝２３の長さ寸法の略中間に位置すると共に、溝２３の軸方向の寸法の略全体に亘って開口面に張り渡されている。そして、線状部材３８は該開口面に張り渡された直線状の部位が通電時に発熱する切断線部３９となっており、発熱した切断線部３９に体毛を接触させることで、体毛が焼き切られて、体毛処理が行われる。すなわち、切断線部３９の軸方向の寸法が、本装置における通電発熱体３７で体毛を処理可能な切断幅となっている。
【００２７】
更に、線状部材３８は一端が他端側に向けて溝２３内で折り返されており、Ｕ字状に屈曲させた姿勢で溝２３に配置されている。そのため、線状部材３８は、Ｕ字状に屈曲可能で且つ、通電に伴い発熱して体毛を切断可能な部材であればよく、例えば、ニッケルクロム合金等の通電時に発熱する金属製のワイヤーが好ましい。もちろん、線状部材３８は金属製に限らず、通電に伴い発熱して体毛を焼き切ることが可能であれば、炭素繊維や樹脂等で形成してもよい。
【００２８】
また、線状部材３８の一端は張力付与部４０の一端に固定されており、他端が通電部材４４に固定されている。該張力付与部４０は線状部材３８の一端を軸方向に引っ張り、線状部材３８に張力を加えており、張力付与部４０は張力によって切断線部３９の弛みを抑制している。そして、張力付与部４０は、例えば、コイルばね等のばね材が好ましい。なお、他端も張力付与部４０で保持して、線状部材３８の両端に張力を付与してもよい。
【００２９】
更に、張力付与部４０の他端は保持部３６に取り付けられており、保持部３６は取付部３２に設けられている。該保持部３６は、例えば、上記他端を引っ掛けるフックや爪等が好ましいが、他端と嵌まり合う突起や凹み等であってもよい。なお、保持部３６は張力付与部４０を取付部３２に保持するものに限らず、基部２２に保持するものであってもよい。ましてや、張力付与部４０を溶接や溶着等で取付部３２や基部２２に他端を直接固定して保持部３６となる部材を削減してもよい。
【００３０】
また、基部２２は軸方向の両端面に夫々、他方の端面側に凹んだ凹所３０と、軸方向に沿って突出した突起２９と、からなる結合部を有している。そして、結合部は夫々取付部３２に設けられた被結合部と嵌まり合うことで、取付部３２を基部２２に固定するものとなっている。
【００３１】
詳しくは、凹所３０が円筒と略同芯の環状で他方の端面側に凹んで形成されており、環の内径は軸部材４１の外径と略同寸となっている。そして、突起２９は凹所３０より外周側で且つ軸方向に視て溝２３と重ならない位置に設けられており、突起２９を軸方向に視た形状は円周に沿った円弧状の一辺を有した三角形（扇形）となっている。
【００３２】
また、取付部３２は基部２２と略同芯で軸方向に厚さを有した円板で主体が構成されており、円板の中心に軸部材４１が挿し通される貫通孔を略同芯で有すると共に、基部２２に当接される板面に被結合部を備えている。そして、被結合部は、凹所３０と同芯で嵌まり合う環状の凸部３４と、突起２９と嵌まり合う軸方向に視て三角形状に切り欠かれた切欠き３５と、からなる。
【００３３】
すなわち、凸部３４と凹所３０が嵌まり合うと共に、突起２９と切欠き３５が嵌まり合うことで、取付部３２が基部２２に固定されると共に、取付部３２が基部２２と共に軸部材４１の軸周りに回転するものとなる。なお、符号３３は回転機構部２の駆動を受ける駆動受け部であり、駆動受け部３３で駆動を受けることで回転シリンダ２１が回転するものである。そして、駆動受け部３３は、例えば、一方の取付部３２と一体成形により形成された歯車であり、該歯車は駆動伝達部４（詳細は後述する）の歯車と噛み合っている。
【００３４】
また、取付部３２は通電部材４４が円板の周面に沿って取り付けられている。該通電部材４４は導電性を有した略同形状の二枚の板状部材４５で主体が構成されており、二枚の板状部材４５は円板の周面に沿った曲面を有している。そして、各板状部材４５は夫々異なる位置で取付部３２の周面の略半分を覆うと共に、夫々他方の取付部３２の各板状部材４５と軸方向に並んで対を成している。
【００３５】
更に、板状部材４５は曲面の周方向の端部が内周側に屈曲されており、該端部は突起２９と切欠き３５の嵌まり合う間に位置しており、板状部材４５は突起２９及び切欠き３５の間に挟まれて取付部３２に保持されている。なお、板状部材４５は、例えば、導電性を有した金属製が好ましい。
【００３６】
また、板状部材４５は線状部材３８と電気的に接続する接点部４６を曲面上に有しており、接点部４６は溝２３と軸方向に並んで位置している。そして、接点部４６は、溝２３内に臨み線状部材３８と接触する接触部４８と、線状部材３８が挿し通される挿通孔と、を備えており、線状部材３８は挿通孔に挿し通されることで、溝２３の円筒の周方向に沿った寸法の略中間に位置決めされている。
【００３７】
更に、軸方向に対を成す接点部４６の一方には線状部材３８の他端を固定する固定部４７を備えており、線状部材３８は固定部４７及び張力付与部４０によって、溝２３内に保持されると共に、各接触部４８と電気的に接続されている。なお、符号３１は軸方向からラジアル方向に略Ｌ字状に貫通した折り返し穴であり、挿通孔に挿し通した線状部材３８の一端側を溝２３内に折り返して張力付与部４０で張力を付与した際に、挿通孔の縁部で線状部材３８が傷付くことを抑制している。
【００３８】
すなわち、線状部材３８は、挿通孔により位置決めされると共に、一端側を折り返し穴３１を介してＵ字に折り返された状態で、一端が張力付与部４０に保持されると共に、他端が固定部４７に固定されている。そして、線状部材３８の両接触部４８の間に位置する部位が体毛処理用の切断線部３９となる。なお、基部２２の軸芯から切断線部３９までのラジアル方向に沿った寸法は、基部２２の軸芯から櫛部２５のラジアル方向の先端部位までの寸法より若干短くなっており、櫛部２５に接触した皮膚が切断線部３９に接触し難い構成となっている。
【００３９】
また、図１−４に示すように、通電部材４４は板状部材４５の曲面に通電具１０（詳細は後述する）の一端側が接触することで、本体１側の各部（本例では制御部９）と電気的に接続されるものである。そして、回転シリンダ２１の回転時には、電気的な接続を維持した状態で板状部材４５が通電具１０に対して摺り動き、半周毎に通電具１０と接触する板状部材４５が切り換わるものとなっている。
【００４０】
更に、各板状部材４５が通電具１０に接触する半周は、夫々保持した線状部材３８が開口部４３に位置する間となっており、残りの半周である外部に露出しない間は通電具１０と接触しないものとなっている。すなわち、回転シリンダ２１が半周する毎に、通電される線状部材３８が交互に切り換わると共に、各線状部材３８は夫々開口部４３を介して外部に露出した際に発熱するものとなっている。
【００４１】
通電具１０は一端側が体毛処理部２０内に臨むと共に通電部材４４と接触しており、他端が制御部９（詳細は後述する）と電気的に接続されている。更に、通電具１０の一端側は弾性を有しており、通電部材４４と弾性的に接触しながら電気的に接続されている。なお、通電具１０は、例えば、導電性を有した板ばね等の弾性を有する導電部材で構成したものが好ましいが、通電具１０を別部材の弾性体で通電部材４４側に付勢して、通電具１０を通電部材４４と弾性的に接触させてもよい。
【００４２】
また、回転機構部２は、モータ等の電源部６から電力供給を受けて駆動する駆動源３と、駆動源３の駆動を回転シリンダ２１に伝達する駆動伝達部４と、回転シリンダ２１を軸支する軸部材４１と、からなる。
【００４３】
そして、駆動伝達部４は、例えば、複数の歯車からなる歯車組であり、各歯車は軸方向に沿って回転軸を平行に並べて配置されている。すなわち、歯車組は、駆動源３の位置する上流側から、回転シリンダ２１の位置する下流側に、各歯車を介して回転駆動を伝達している。詳しくは、駆動伝達の上流端に位置する歯車が駆動源３の駆動軸等の一端に取り付けられており、下流端に位置する歯車が回転シリンダ２１の駆動受け部３３（歯車）に噛み合っている。
【００４４】
このように、回転機構部２は、駆動源３の駆動（モータの回転駆動）を駆動伝達部４を介して回転シリンダ２１に伝達することで、回転シリンダ２１を軸部材４１の軸回りに回転させるものとなっている。なお、駆動伝達部４は、歯車のみで構成したもの（歯車組）に限らず、環状のベルトやチェーン、或いは歯車組の回転軸に直交して軸芯を有する棒状の伝達ピン等の駆動伝達部材で駆動を伝達するものであってもよい。
【００４５】
電源部６は、例えば、二次電池やバッテリ等の内部電源や、商用電源等の外部電源と電気的に接続する電源コードである。本例では、内部電源を備えるが電源コードを備えておらず、内部電源消耗時には、本体１から電池カバー７を外して、内部電源を新たなものに交換することで、消耗した電力を回復するものとなっている。
【００４６】
なお、内部電源は外部の充電装置と電気的に接続することで充電可能なものであってもよく、このものでは本体１に充電装置と内部電源を電気的に接続する接続部を備えることが好ましい。もちろん、内部電源を備えずに電源コードを備えて外部電源から電力が供給されるものや、内部電源と電源コードを両方備えて電源コードで内部電源を充電する或いは内部電源と外部電源を選択的に切り換えられるもの等であってもよい。そして、これら電源コードを備えたものでは、外部電源と接続しない際に電源コードを収納する収納部を本体１に備えたものであることが好ましい。
【００４７】
操作部８は外部操作されることで、電源部６から各部への電力の供給と遮断を切り換えるスイッチ部を備えている。そして、スイッチ部は、例えば、外部操作によってスライドして、電力部からの給電及び遮断（電源のオンオフ）を切り換えるスライドスイッチとなっている。なお、スイッチ部は、スライドスイッチに限らず、回転摘み等のダイアルスイッチや、プッシュスイッチやシーソースイッチ等の使用者が電源のオンオフの切換操作可能なものであればよい。
【００４８】
制御部９は操作部８及び電源部６と電気的に接続されると共に、通電具１０を介して体毛処理部２０と電気的に接続されており、操作部８の外部操作に応じて通電発熱体３７へ給電のオンオフを制御している。更に、制御部９は電源部６からの電力を昇圧する昇圧回路を有しており、制御部９は電源部６からの電力を昇圧した後、通電具１０を介して通電発熱体３７に供給している。
【００４９】
なお、制御部９は通電発熱体３７の制御のみに限らず、回転機構部２の給電のオンオフや回転数等を更に制御するものであってもよい。ましてや、制御部９は昇圧回路を備えたものに限らず、電源部６が外部電源から直接電力供給されるもの等では、電力を整流する整流回路等を更に備えてもよい。
【００５０】
また、冷却部１１は、一端に開口を有した中空の箱状部１２と、箱状部１２内に配置された冷却材１７と、回転シリンダ２１と冷却材１７の熱交換を行う熱交換部１３と、箱状部１２を体毛処理部２０側に付勢する付勢部材１８と、からなる。箱状部１２は開口を体毛処理部２０側に向けて配置されており、箱状部１２の底部外方から付勢部材１８により付勢されている。
【００５１】
そして、熱交換部１３は空気や箱状部１２より熱伝導性の高い部材で構成されており、箱状部１２の開口を封止する封止部１４と、封止部１４から箱状部１２内に突出した熱伝部１６と、からなる。そして、封止部１４は外面が、前述の肌押え部２７の先端部位に沿った曲面形状となっている。更に、熱伝部１６は箱状部１２の内部に突出した板状となっており、板の表面に冷却材１７が接触している。
【００５２】
そのため、箱状部１２は、付勢部材１８によって付勢されることで、封止部１４の外面が回転シリンダ２１の外周に沿って当接されて、熱交換部１３を介して回転シリンダ２１と冷却材１７の熱交換を行うものとなっている。すなわち、封止部１４の外面が回転シリンダ２１の熱を受ける冷却面１５となっており、冷却部１１は回転シリンダ２１を熱交換部１３を介して冷却材１７で冷却している。そして、符号１９は本体１（外側面５）から脱着自在な冷却部カバーであり、冷却材１７が劣化して冷却効率が低下した際に、冷却部カバー１９を本体１から取り外すことで、冷却部１１や冷却材１７を交換することができる。
【００５３】
なお、箱状部１２は熱変形し難い耐熱性を有した部材で構成されたものが好ましく、付勢部材１８は、例えば、ばね等の弾性体で構成したものが好ましい。そして、冷却材１７は空気より熱容量が大きい部材で構成されており、例えば、液状或いはゲル状の高分子材料を有する保冷剤や水等が好ましい。
【００５４】
このように、通電発熱体３７を回転シリンダ２１に取り付けて回転させたことで、使用者による装置の皮膚上の移動とは別動作で通電発熱体３７が皮膚に対して移動されて、体毛に通電発熱体３７を接触し易くすることができる。そして、通電発熱体３７が体毛に接触し易くなったことで、通電発熱体３７で体毛が熱切断され易くなり、通電発熱体３７の回転しない従来の焼き切る体毛処理装置に比べて、皮膚の同じ位置に対して体毛処理を行う回数を低減することができる。
【００５５】
そのため、従来の焼き切るものに比べて、体毛処理を容易に行うことができて、使用者に不快感を与え難くできると共に、体毛処理時に皮膚に付与される通電発熱体３７からの熱も低減できて、体毛処理装置による皮膚の過熱を抑制することができる。更に、体毛を焼き切り体毛処理を行うため、体毛を引き抜くものに比べて、体毛処理時に痛みを生じ難くすることができると共に、切断刃で切断するものに比べて、処理後の皮膚が衣服等と擦れても、使用者に不快感を与え難くすることができる。
【００５６】
また、回転シリンダ２１の外周面にコーム２４を設けたことで、コーム２４が回転しながら体毛や皮膚に接触して、コーム２４で体毛を起き上がらせ易くなると共に、体毛を溝２３内に導入させ易くなる。そのため、コーム２４を備えていないものやコーム２４の回転しないものに比べて、体毛をより溝２３に導入し易くできると共に、体毛を起した状態で溝２３に導入できて、体毛が線状部材３８に切断され易くなり、体毛処理効率を向上することができる。
【００５７】
そして、溝２３の回転後方に肌押え部２７を配置したことで、櫛刃２６と肌押え部２７が溝２３の前後に位置する皮膚を押えて、皮膚の溝２３内への落ち込みが調整されて、発熱した線状部材３８への皮膚の接触を抑制することができる。
【００５８】
また、通電部材４４を円周方向に沿って機械的及び電気的に略同形状で線状部材３８と同数に分割したことで、線状部材３８毎に通電非通電を設定できると共に、回転シリンダ２１の回転に伴って通電非通電を容易に切り換えることができる。
【００５９】
そのため、線状部材３８が体毛導入口内に位置する間のみ通電させることができると共に、体毛導入口から露出しない体毛を切断できない位置を移動する間の線状部材３８の通電を停止することができる。すなわち、体毛を切断できない位置での線状部材３８の発熱を抑制して、通電発熱体３７の発熱による装置の温度上昇を軽減できて、装置の熱変形や電気的な接続部分の接触不良等の熱による不具合の発生を抑制することができる。
【００６０】
そして、回転シリンダ２１の円周を二等分する位置に線状部材３８を設けたことで、回転シリンダ２１の半周毎に体毛処理を行え、回転シリンダ２１一回転あたりの体毛処理効率をより向上することができる。更に、通電発熱体３７を溝２３の円周方向の長さ寸法の中間に配置したことで、基部２２は回転方向の前後で略均等に通電発熱体３７の熱を受けられ、基部２２の溝２３の回転方向の前後の一方に通電発熱体３７の熱が偏って付与されることを抑制できる。
【００６１】
そのため、回転シリンダ２１に熱が略均等に分散されて付与され、熱が一部に溜まり熱による不具合が発生することを抑制できて、装置の安全性を向上させることができる。なお、線状部材３８は二本に限らず、三本以上設けてもよく、このものでは線状部材３８の数に応じて回転シリンダ２１の円周を等分する位置に各線状部材３８を配置することが好ましい。
【００６２】
また、冷却部１１を備えたことで、通電発熱体３７を有した回転シリンダ２１を冷却できて、回転シリンダ２１の温度上昇を低減できて、皮膚や装置が通電発熱体３７の熱による影響を受け難くすることができる。そのため、温度上昇したコーム２４の接触による不快感を使用者に与え難くできると共に、装置の各部の温度上昇による各部の熱変形や電気的な接続部分の接触不良等の熱による不具合の発生も抑制することができる。
【符号の説明】
【００６３】
２  回転機構部
２１  回転シリンダ
２２  基部
２３  溝
２４  コーム
３７  通電発熱体
３８  線状部材
４０  張力付与部
４４  通電部材
４５  板状部材
【図１】
2012070796.tif 000003
【図２】
2012070796.tif 000004
【図３】
2012070796.tif 000005
【図４】
2012070796.tif 000006
【図５】
2012070796.tif 000007
【図６】
2012070796.tif 000008
【図７】
2012070796.tif 000009